(57)【特許請求の範囲】
【請求項１】
複数の棚を有するキャビネットタイプの架に設けられたバッテリーの置き台に載せるバッテリーを収容する容器であって、
容器本体は、内側にアクリルコートナイロン素材を使用し、外側に人工皮革素材を積層して構成した多重構造であり、
さらに、炭素繊維とポリエステル繊維とが組み合わされて編みこまれた帯状部材を縫合した把持部を有することを特徴とするバッテリーホルダー。
【請求項２】
前記容器本体側周囲の水平方向に前記帯状部材を撓ませて縫合し、前記帯状部材の撓み部が前記把持部となるように構成したことを特徴とする請求項１記載のバッテリーホルダー。
【請求項３】
前記容器本体は、開口部を有し、該開口縁部周りにビニロン繊維を被せて縫合したことを特徴とする請求項１乃至２記載のバッテリーホルダー。
【請求項４】
前記容器本体とバッテリーとの離脱を防止する留めベルトを有することを特徴とする請求項１乃至３記載のバッテリーホルダー。
【発明の詳細な説明】
【０００１】
【発明の属する技術分野】
本発明は、バッテリーホルダーに関し、特に、電話交換機、多重伝送装置などの電気通信設備に内蔵する予備電源用バッテリーの保持或いは載置に関する。
【０００２】
【従来の技術】
近年、電話などの電気通信は、ライフラインとして位置づけされているように、その重要性が益々高くなってきている。そのため、電話交換機、多重伝送装置などの電気通信設備には商用電源の停電時に備えて予備電源用のバッテリーが内蔵されることが多い。また、必要とされるバックアップ時間を確保するため、バッテリー容量もこれに伴って大きくなり、バッテリーの占有面積、重量も大きなものとなっている。
【０００３】
図５は、電気通信設備に内蔵されるバッテリーの従来の載積構造例を示す図である。
この図は、複数の棚２（ユニット棚ａ〜ｄ）を有するキャビネットタイプの電気通信設備架１であり、この電気通信設備架１の下部には、図示を省略した電源部が設けられており、この電源部の一部としてバッテリー５が載積されている。
また、前記バッテリー５は、スライドレール３とトレー４による引出し型構造の台に載せて格納される。それによって、トレー４を手前に引き出してからバッテリー５を載せ、その後にトレー４を内部に押し込むことで、比較的容易にバッテリー５の積み下ろしができる。
【０００４】
【発明が解決しようとする課題】
しかしながら、上述した従来のバッテリーの載積構造にあっては、スライドレール３及びトレー４は、重量物であるバッテリー５を支えるに十分な強度を持たなければならず、強固な機構とするためのコストがかかってしまう。
そこで、引出し構造をとらずにバッテリー５を載のせることにすれば、簡単な機構となりコストを低減することが可能となる。
【０００５】
また一方、電気通信設備は、地震などに対する耐力が必要であり、そのための耐震試験が行なわれる。
これに対応するためバッテリー５の置き台は、バッテリーが移動、或いは転倒しないよう工夫がなされている。例えば、バッテリー載置部に、バッテリー５の形状に応じてバッテリー５を囲むように枠状の凸部を形成したり、或いは、バッテリー毎に小部屋を仕切ったりしている。更には、バッテリー５の置き台自体にスタビライザー機能を有するものもある。
ところが、バッテリーは重量物であるが故に、振動試験の際、バッテリー５が振動により置き台や仕切り板など周囲の金属部と繰り返し接触した衝撃により、バッテリー５の本体に傷がついたり、場合によっては亀裂が生ずることも有り得る。亀裂が生じれば、バッテリー内部の電解質の漏れ出しや、バッテリー寿命の劣化ということにつながり、もはや振動試験をパスすることはできない。
【０００６】
本発明はこのような問題点を解決するためになされたものであり、バッテリーの置き台を引出し構造としない場合であってもバッテリーの積み下ろしを容易にし、且つ、振動を与えられてもバッテリーを保護することができるバッテリーホルダーを提供することを目的とする。
【０００７】
【課題を解決するための手段】
上記課題を解決するために本発明に係わるバッテリーホルダー請求項１の発明は、複数の棚を有するキャビネットタイプの架に設けられたバッテリーの置き台に載せるバッテリーを収容する容器であって、容器本体は、内側にアクリルコートナイロン素材を使用し、外側に人工皮革素材を積層して構成した多重構造であり、さらに、炭素繊維とポリエステル繊維とが組み合わされて編みこまれた帯状部材を縫合した把持部を有することを特徴とする。また、本発明に係わるバッテリーホルダー請求項２の発明は、前記請求項１記載のバッテリーホルダーにおいて、前記容器本体側周囲の水平方向に前記帯状部材を撓ませて縫合し、前記帯状部材の撓み部が前記把持部となるように構成したことを特徴とする。また、本発明に係わるバッテリーホルダー請求項３の発明は、前記請求項１乃至２記載のバッテリーホルダーにおいて、容器本体に開口部を有する形状とし、この開口縁部周りにビニロン繊維を被せて縫合することにより剛性力を高める。また、本発明に係わるバッテリーホルダー請求項４の発明は、前記請求項１乃至３記載のバッテリーホルダーにおいて、前記容器本体とバッテリーとの離脱を防止する留めベルトを有することを特徴とする。
【０００８】
【発明の実施の形態】
以下、図示した実施の形態例に基づいて本発明を詳細に説明する。
図１（ａ）乃至（ｄ）は本発明に係わるバッテリーホルダーの実施の一形態例を示す図である。
図１（ａ）は、バッテリー５がバッテリーホルダー６に収められている様子を示す斜視図であり、この例に示されるバッテリーホルダー６には、４つの側面の夫々に取っ手部７a〜７ｄを備えている。
また、図１（ｂ）、（ｃ）及び（ｄ）は、それぞれ前記バッテリーホルダー６の平面図、正面図、側面図である。
【０００９】
この図に示すバッテリーホルダーは以下のように機能する。即ち、バッテリホルダー６の容器部分を形成する本体８は、内側にアクリルコートナイロン素材を、外側に人工皮革素材を重ねて形成した柔軟性のある箱型の容器であって、その天井面は開口している。
また、取っ手部７ａ〜７ｄは、化学繊維を編んだ帯状のテープを、前記本体８の側周囲に、水平方向に取付られている。このときの取付形態は、前記テープの中央部を撓ませ、その両端を前記本体８に縫合する。即ち、テープの撓み部分を把持するようにした取っ手部である。なお、この例に示すテープは、炭素繊維とポリエステル繊維とが組み合わせて編み込まれた厚みのあるものであり、柔軟性があり、よじれや引っ張り力が加わっても切れにくい丈夫なものを用いている。
【００１０】
また、前記開口縁部は、ビニロン繊維によるテープを被せて縫い付け、補強している。この補強は開口縁部に限らず、本体８を形成する素材の縁部が露出する部分全てについて行なうことが好ましい。
【００１１】
図２（ａ）乃至（ｄ）は、本発明に係わるバッテリーホルダーの他の実施の形態例を示す図であり、前記図１に示したものと同様の機能部分については同一の符号を付してその説明を省略する。
図２（ａ）は斜視図、（ｂ）はその底面図である。この例に示すバッテリーホルダー６は、対向して形成される一対の取っ手部７ａ、７ｃのテープを、前記バッテリーホルダー６の底面を介して一体化したものである。
こうして、本体８の底面にテープを縫合し補強すれば、バッテリー５を電気通信設備架１に積み込む、或いは積み下ろす際に、底面を引きずったとしても、本体８の底部材が摩擦により傷つくことを低減することができる。
【００１２】
また、これに加えて図２（ｃ）に示すように、バッテリーホルダー６にバッテリー５を収納した後、留めベルト９により離脱を防止してもよい。なお、ここでは、取っ手部７の図示を省略した。
この留めベルト９の素材は、前記取っ手部７に用いたテープでよく、留めベルト９の一端は、本体８に縫合しておき、もう一端には着脱自在な留め手段１０を設ける。
前記留め手段１０は、例えば、ホック、ボタン、或いはマジックテープなどであり、バッテリー５の高さ等に応じて留めベルト９の長さ調整ができるものが好ましい。
【００１３】
次に、本発明に係わるバッテリーホルダーへのバッテリーの収納のし仕方について説明する。
図３（ａ）乃至（ｄ）は、その手順を示す図である。
まず、バッテリー５を裏返して置き、（ａ）及び（ｂ）に示すように逆さまにしたバッテリーホルダー６を被せる。
そして、（ｃ）及び（ｄ）に示すように、転がしてバッテリー５の入ったバッテリーホルダー６の取っ手部を掴んで持ち上げれば、容易にバッテリーの移動が可能になる。
【００１４】
次に、図４は、本発明に係わるバッテリーホルダーを用いて電気通信設備にバッテリーを内蔵した場合の例を示した図である。なお、ここでは、バッテリー置き台の前面壁板等と、電気通信設備架１の前面扉板等とを図示省略しており、実際にはバッテリーが前方へ移動することがないようになっている。
この例のように、バッテリー５をバッテリーホルダー６に入れて収容すれば、電気通信設備架１の棚２の構造も複雑にすることなく、バッテリー５の積み下ろしが容易で、且つ、振動があってもバッテリー５に加わる衝撃を緩和することができる。
【００１５】
以上説明した本発明の実施の形態例においては、バッテリーホルダー６の素材に化学素材或いは人工素材のみを用いるという例を示したが、本発明の実施にあってはこの例に限らず、例えば、植物繊維や動物皮といった天然素材を適用できることは言うまでもない。
また、バッテリーホルダー６に蓋部を形成してファスナー等で開閉するようにし、電源ラインのみ導出する穴部を設け、バッテリー５全体を覆うようにしてもよいであろう。
更に、取っ手部７の別の形成方法として、本体８の上部を外側に折返して、角端部を縫合し、折返し部分の中間部を取っ手部７とするように構成しても良い。
【００１６】
以上説明したように、本発明に係わるバッテリーホルダーは、バッテリーの持運びを容易にすると共に、ダンパーとして機能するので、振動時の衝撃からバッテリーを保護することができる。
また、このバッテリーホルダーが容器になり、仮にバッテリーから液漏れ等が生じても、その流出を防ぐことができる。
また、バッテリーの積み下ろしが容易になったことにより、バッテリー置き台部分を簡素な機構、即ち、引出さなくて済むようにすることもできコスト低減を図ることができる。更にその結果、従来にあっては、引出し寸法をあまり長くしてしまうとバランスが崩れて、電気通信設備架１が転倒するおそれもあったが、それも無くなる。また、電気通信設備架１の前方における作業スペースが広くとれるようになる。
【００１７】
【発明の効果】
以上のように本発明に係わるバッテリーホルダーは、柔軟性のある丈夫な素材を用い、更に、取っ手部を設けて構成し、該バッテリーホルダーにバッテリーを入れた状態のまま電気通信設備に内蔵するようにしたので、バッテリーの積み下ろし作業を容易にすることができる。これに加えてバッテリーホルダーが、振動時の衝撃吸収作用をなすことで、バッテリーを振動衝撃から確実に保護することができる。
【図面の簡単な説明】
【図１】本発明に係るバッテリーホルダーの実施例を示す図である。
（ａ）斜視図、（ｂ）平面図、（ｃ）正面図、（ｄ）側面図
【図２】本発明に係るバッテリーホルダーの他の実施例を示す図である。
（ａ）斜視図、（ｂ）底面図、（ｃ）斜視図
【図３】本発明に係るバッテリーホルダーへのバッテリーの入れ方について手順を示した例である。
【図４】本発明に係るバッテリーホルダーを用いた場合のバッテリー積載例を示す図である。
【図５】従来におけるバッテリー積載例を示す図である。
【符号の説明】
１・・・電気通信設備架
２・・・棚
３・・・スライドレール
４・・・トレー
５・・・バッテリー
６・・・バッテリーホルダー
７ａ〜７ｄ・・・取っ手部
８・・・本体
９・・・留めベルト
１０・・・留め手段
【図１】
0004797191.tif 000002
【図２】
0004797191.tif 000003
【図３】
0004797191.tif 000004
【図４】
0004797191.tif 000005
【図５】
0004797191.tif 000006